(57)【特許請求の範囲】
【請求項１】
ディスクテーブルに装着されたディスク状記録媒体の半径方向に移動可能に支持された移動ベース上に所定の部材が配設されて成り、上記ディスク状記録媒体に対してレーザ光を照射する光学ピックアップであって、
レーザ光を照射するレーザ発光素子とレーザ光を受光する受光素子とを含む光学素子と、
上記各光学素子への通電及び信号伝達を行うための複数の端子とを備え、
上記各端子にはフレキシブルプリント配線板の端子接続部が接続され、
上記フレキシブルプリント配線板の端子接続部には、補強板が取着され、
上記フレキシブルプリント配線板の端子接続部と補強板とは、ディスク状記録媒体の外周方向側に位置する一端部が一体に折り曲げられている
ことを特徴とする光学ピックアップ。
【請求項２】
上記補強板の一端部は、ディスク状記録媒体の外縁に沿う形状にされている
ことを特徴とする請求項１に記載の光学ピックアップ。
【請求項３】
上記補強板は金属製である
ことを特徴とする請求項１に記載の光学ピックアップ
【請求項４】
ディスク状記録媒体が装着されて回転されるディスクテーブルと、該ディスクテーブルに装着されたディスク状記録媒体の半径方向に移動可能に支持された移動ベース上に所定の部材が配設されて成り、上記ディスク状記録媒体に対してレーザ光を照射する光学ピックアップとを備えたディスクドライブ装置であって、
上記光学ピックアップは、レーザ光を照射するレーザ発光素子とレーザ光を受光する受光素子とを含む光学素子と、
上記各光学素子への通電及び信号伝達を行うための複数の端子とを備え、
上記各端子にはフレキシブルプリント配線板の端子接続部が接続され、
上記フレキシブルプリント配線板の端子接続部には、補強板が取着され、
上記フレキシブルプリント配線板の端子接続部と補強板とは、ディスク状記録媒体の外周方向側に位置する一端部が一体に折り曲げられている
ことを特徴とするディスクドライブ装置。
【請求項５】
上記補強板の一端部は、ディスク状記録媒体の外縁に沿う形状にされている
ことを特徴とする請求項４に記載のディスクドライブ装置。
【請求項６】
上記補強板は金属製である
ことを特徴とする請求項４に記載のディスクドライブ装置。
【発明の詳細な説明】
【０００１】
【発明が属する技術分野】
本発明は、光学ピックアップ及びディスクドライブ装置において、光学ピックアップ及びディスクドライブ装置を小型化するための技術に関する。
【０００２】
【従来の技術】
光ディスク等のディスク状記録媒体に対して、情報信号の書き込みと読み出し、又は、情報信号の読み出しのみを行うようにされたディスクドライブ装置がある。このようなディスクドライブ装置は、ディスク状記録媒体の半径方向に移動すると共にディスク状記録媒体にレーザ光を照射してディスク状記録媒体に対して情報信号の書き込み又は読み出しを行うための光学ピックアップを有する。
【０００３】
ところで、近年、ディスクドライブ装置、特に、ポータブル型のディスクドライブ装置にあっては、小型軽量化が進みつつある。
【０００４】
図６は従来のポータブル型ディスクドライブ装置の一例ａの一部を拡大して示すものである。上記ディスクドライブ装置ａは、ディスク状記録媒体ｂとしてＣＤ（Compact Disk）を使用するＣＤプレーヤであり、筐体ｃ内には、光学ピックアップｄが上記ディスク状記録媒体ｂの半径方向に移動可能に支持されている。尚、筐体ｃは、ディスク状記録媒体ｂの外形に合わせて、側面が円弧状を為す偏平な箱状に形成されている。
【０００５】
光学ピックアップｄは、移動ベースｅ上に、対物レンズｆを保持し、該対物レンズｆをトラッキング方向及びフォーカシング方向に移動させる図示しない対物レンズ駆動機構（２軸アクチュエータ）、上記対物レンズｆと集積型光学素子（レーザカプラ）ｇを含むと共に該集積型光学素子ｇから出射されたレーザ光を対物レンズｆに導く図示しない受発光光学系等（レーザ光学系）が適宜な位置に配設されて成る。
【０００６】
上記受発光光学系の構成要素の一つである集積型光学素子ｇは、移動ベースｅ上の一端部寄りの位置に配設されており、レーザ照射手段であるレーザ発光素子、該レーザ発光素子から出射されたレーザ光を反射させて光路を曲げると共にディスク状記録媒体ｂの記録面で反射されて戻ってきた戻り光を透過させるプリズム、ディスク状記録媒体ｂの記録面で反射されて戻ってきた戻り光を受光する受光素子等を一体の光学ブロックとしてパッケージ化したものである。
【０００７】
また、光学ピックアップｄは、対物レンズ駆動機構及び集積型光学素子ｇへの通電及び信号伝達を行うために、フレキシブルプリント配線板ｈによって筐体ｃ内の図示しない回路基板と電気的に接続されている。
【０００８】
集積型光学素子ｇとフレキシブルプリント配線板ｈとは、図６乃至図８に示すように、集積型光学素子ｇから外方に突出した端子ｉ、ｉ、…が、フレキシブルプリント配線板ｈの一端部に設けられた端子接続部ｊ、ｊのランドｋ、ｋ、…に半田付けによって接続されると共に、フレキシブルプリント配線板ｈには、上記ランドｋ、ｋ、…及びその近傍の領域を覆うように、端子ｉ、ｉ、…とランドｋ、ｋ、…とが半田付けされた側の裏側からＰＥＴ（ポリエチレンテレフタレート樹脂）等の合成樹脂製の補強板ｌ、ｌが取り付けられている。尚、フレキシブルプリント配線板ｈの各ランドｋ、ｋ、…は、配線ｍ、ｍ、…によって外部と電気的に接続されている。
【０００９】
補強板ｌ、ｌは、フレキシブルプリント配線板ｈの集積型光学素子ｇとの接続部分である端子接続部ｊ、ｊの強度を確保し、該端子接続部ｊ、ｊに負荷が掛かって折れ曲がったり、湾曲したりしないようにして、半田が外れないようにするためのものである。
【００１０】
ところで、ディスクドライブ装置を小型化する場合において、一般的に、ディスクドライブ装置の筐体の幅及び長さは、ディスク状記録媒体の直径よりも小さくすることはできないが、ディスク状記録媒体の直径に近づけることは可能である。
【００１１】
即ち、ディスクドライブ装置ａにおいては、図６に示すように、ディスク状記録媒体ｂの外縁側に位置する光学ピックアップｄの側面は、光学ピックアップｄがディスク状記録媒体ｂの最外周位置に移動した時でも、筐体ｃと干渉しないように、なるべくディスク状記録媒体の外周方向への突出部分が少なくなるような形状に形成されている。しかし、集積型光学素子ｇの周辺、特に、端子ｉ、ｉ、…がランドｋ、ｋ、…に取着されたフレキシブルプリント配線板ｈと補強板ｌが側方、即ち、ディスク状記録媒体ｂの外周方向へ突出していると、光学ピックアップｄがディスク状記録媒体ｂの最外周位置に移動した時に、この突出した部分が筐体ｃと干渉するおそれがあった。
【００１２】
フレキシブルプリント配線板ｈと端子ｉ、ｉ、…とが接続される端子接続部ｊ、ｊは、図８に示すように、ランドｋ、ｋ、…及び該各ランドｋ、ｋ、…への電気的接続を行う配線m、m、…のパターンを端子接続部ｊ、ｊの幅方向に離間させた状態で形成しなければならないため、端子接続部ｊ、ｊの幅を一定の大きさ以下にすることはできない。
【００１３】
従って、ディスクドライブ装置ａにおいては、光学ピックアップｄからフレキシブルプリント配線板ｈと補強板ｌとがディスク状記録媒体ｂの外周方向に突出してしまい、当該突出した部分と筐体ｃとが干渉しないようにするスペースを確保する必要があるため、該スペースの部分だけ筐体ｃが大きくなってしまっていた。
【００１４】
尚、光学ピックアップｄに使用される集積型光学素子の端子形状又は端子の取り出し位置を変えて、光学ピックアップｄがディスク状記録媒体ｂの最外周位置に移動した時でも、端子や、これに接続されたフレキシブルプリント配線板及び補強板が、ディスク状記録媒体ｂの外周方向に突出しないようにすること、又は、突出方向を変えることが可能である。
【００１５】
しかし、レーザカプラの端子形状又は端子の位置を変えることは、光学ピックアップｄに使用される集積型光学素子として汎用品を使用することができなくなり、ディスクドライブ装置ａ及び光学ピックアップｄの構成に適した専用品としての集積型光学素子を、新たに設計して製造することが必要となって、ディスクドライブ装置ａのコストアップを招くこととなってしまうので、ディスクドライブ装置ａの小型化の手段としては不適切である。
【００１６】
【発明が解決しようとする課題】
本発明は、上記問題点に鑑み、光学ピックアップの突出部分、特に、フレキシブルプリント配線板及びその補強板のディスク状記録媒体の外周方向への突出量を少なくして、光学ピックアップ及びディスクドライブ装置の小型化を実現することを課題とする。
【００１７】
【課題を解決するための手段】
上記課題を解決するために本発明は、光学ピックアップ及びディスクドライブ装置において、レーザ光を照射するレーザ発光素子とレーザ光を受光する受光素子とを含む光学素子と、上記各光学素子への通電及び信号伝達を行うための複数の端子とを備え、各端子にフレキシブルプリント配線板の端子接続部を接続し、フレキシブルプリント配線板の端子接続部に補強板を取着し、フレキシブルプリント配線板の端子接続部と補強板のディスク状記録媒体の外周方向側に位置する一端部を一体に折り曲げたものである。
【００１８】
従って、本発明は、フレキシブルプリント配線板及びその補強板のディスク状記録媒体の外周方向への突出量が少なくなる。
【００１９】
【発明の実施の形態】
以下に、本発明光学ピックアップ及びディスクドライブ装置の実施の形態について、添付図面を参照して説明する。
【００２０】
尚、以下の実施の形態は、本発明を、例えば、直径１２０ｍｍのディスク状記録媒体を使用し、上記ディスク状記録媒体に記録された情報信号の再生及びディスク状記録媒体への情報信号の記録、又は、ディスク状記録媒体に記録された情報信号の再生のみを行うディスクドライブ装置であるポータブル型ＣＤ（Compact Disk）プレーヤ及び該ポータブル型ＣＤプレーヤに用いられる光学ピックアップに適用したものである。
【００２１】
ディスクドライブ装置１は、図１に示すように、偏平な円形の箱状を為す筐体２内に所用の部材及び機構が配設されて成る。
【００２２】
ディスクドライブ装置１の筐体２は、上半部２ａが下半部２ｂに対して図示しないヒンジ機構によって開閉自在に支持されている。そして、上記筐体２の上半部２ａを上方に開くことによって図示しない駆動モータによって回転されるディスクテーブル等が露出し、このディスクテーブル上にディスク状記録媒体（ＣＤ）３を着脱するようになっている。
【００２３】
また、ディスクドライブ装置１の筐体２の適宜な位置には、図１に示すように、各種機能が割り当てられた操作ボタン４、４、…が配設され、これら操作ボタン４、４、…を操作すると、例えば、再生動作、動作の停止、音量の変更等が実行される。
【００２４】
ディスクドライブ装置１の筐体２内には、図２に示すように、リードスクリュー５及びガイド軸６によって支持され、ＣＤ３の半径方向に移動可能にされた光学ピックアップ７が配設されている。
【００２５】
上記光学ピックアップ７は、図３に示すように、移動ベース８に所要の各部材、即ち、図示しない対物レンズ駆動機構と、対物レンズ９、集積型光学素子（以下、「レーザカプラ」という。）１０及び該レーザーカプラー１０から出射したレーザー光の光路を曲げて対物レンズ９に向かわせるための図示しない立ち上げミラーを含む受発光光学系等が配設されている。
【００２６】
上記移動ベース８は、図２及び図３に示すように、主部８ａと、該主部８ａの両端部からそれぞれ一体に突出形成された軸受部８ｂ及び８ｃとを有する。上記軸受部８ｂにはリードスクリュー５が螺合され、軸受部８ｃにはガイド軸６が摺動可能に嵌合される。従って、リードスクリュー５の回転によって駆動されて、光学ピックアップ７は、ガイド軸６に沿ってＣＤ３の半径方向に移動される。
【００２７】
レーザカプラ１０は、レーザ照射手段であるレーザ発光素子、該レーザ発光素子から出射されたレーザ光を反射させて光路を曲げると共にＣＤ３の記録面で反射されて戻ってきた戻り光を透過させるプリズム、ＣＤ３の記録面で反射されて戻ってきた戻り光を受光する受光素子（フォトディテクタ）等を一体の光学ブロックとしてパッケージ化したものである。
【００２８】
また、レーザカプラ１０の長手方向の両端部からは、図３乃至図５に示すように、光学ピックアップ７の移動方向に、内包されるレーザ発光素子やフォトディテクタへの通電及び信号の伝達のための金属製の端子１０ａ、１０ａ、…が外方に突出されている。
【００２９】
上記受発光光学系の構成要素の一つであるレーザカプラ１０は、図３に示すように、移動ベース８上の一端部寄りの位置、即ち、上記ガイド軸６に摺動自在に嵌合する軸受部８ｃが形成されている側の側面に接着等によって取着されている。レーザーカプラ１０がこのような位置に配設されるのは、小型化された光学ピックアップ７の移動ベース８上における図示しない対物レンズ駆動機構の位置との関係によるものである。即ち、対物レンズ駆動機構によって遮断されることなしに、レーザーカプラー１０から立ち上げミラーを経て対物レンズ９に至るレーザ光の光路を確保するためである。
【００３０】
以上のような構造を有する光学ピックアップ７は、対物レンズ駆動機構への通電と、レーザカプラ１０のレーザ発光素子への通電や受光素子からの出力信号の伝達等を行うために、フレキシブルプリント配線板１１によって筐体２内の図示しない回路基板と電気的に接続されている。
【００３１】
フレキシブルプリント配線板１１は、光学ピックアップ７に接続される側が二股に分岐し、図５に示すように、一端部（図示省略）が対物レンズ駆動機構に接続されると共に、他端部１１ａ、１１ａがレーザカプラ１０の端子１０ａ、１０ａ、…に接続される端子接続部とされる。
【００３２】
即ち、フレキシブルプリント配線板１１のレーザカプラ１０に接続される先端部が更に二股に分かれ、端子接続部１１ａ、１１ａとされ、それぞれがレーザカプラ１０の長手方向の両端部の端子１０ａ、１０ａ、…に接続される。
【００３３】
詳しくは、レーザカプラ１０は、図４及び図５に示すように、レーザカプラ１０の長手方向の両端部からそれぞれ外方に突出した端子１０ａ、１０ａ、…がフレキシブルプリント配線板１１の端子接続部１１ａ、１１ａの複数のランド１１ｂ、１１ｂ、…に半田付けされ、各ランド１１ｂ、１１ｂ、…から延びた配線１１ｃ、１１ｃ、…によって、図示しない回路基板と電気的に接続される。
【００３４】
そして、フレキシブルプリント配線板１１には、各端子接続部１１ａ、１１ａとその近傍を背面側から覆うように金属製の補強板１２、１２が接着等によって取着されている。
【００３５】
補強板１２、１２は、金属板を略Ｌ字状に折り曲げて成るものであり、フレキシブルプリント配線板１１の端子接続部１１ａ、１１ａに対応した部分である主部１２ａ、１２ａと、該主部１２ａ、１２ａに対して折り曲げられた部分である端部１２ｂ、１２ｂによって構成される。
【００３６】
補強板１２、１２は、フレキシブルプリント配線板１１とレーザカプラ１０との接続部分を保護するためのもの、即ち、フレキシブルプリント配線板１１のレーザカプラ１０の端子１０ａ、１０ａ、…との接続部分の強度を確保し、該接続部分が不必要に折れ曲がらないようにして、半田付けが外れないようにするためのものである。
【００３７】
また、補強板１２、１２は、金属製であるため、レーザカプラ１０の端子１０ａ、１０ａ、…とフレキシブルプリント配線板１１との接続部分からの放熱を助ける効果も有する。
【００３８】
ところで、光学ピックアップ７がＣＤ３の最外周位置に移動した時、その一部がＣＤ３の外縁よりも外方、即ち、外周方向にに突出することになる。ディスクドライブ装置１の筐体２を小型化するためには、光学ピックアップ７の、ＣＤ３の外周方向に突出する部分を小さくすると、光学ピックアップ７がＣＤ３の最外周位置に移動した時に、該突出する部分が筐体２等と干渉しないようにするために必要であったスペースを減らすことができ、ディスクドライブ装置１の小型化に有効である。
【００３９】
従って、光学ピックアップ７は外形が、図２に示すように、ＣＤ３の外周方向に突出する部分がなるべく少なくなるような形状、即ち、筐体２の側に位置する側面が全体的に、ＣＤ３の外縁形状に沿うように構成されている。
【００４０】
そして、特に、筐体２に近い側に位置する一方の補強板１２Ａは、図２乃至図４に示すように、主部１２ａに対して折り曲げられた部分である端部１２ｂの形状が、他方の補強板１２のように平板状ではなく、ＣＤ３の外周形状に沿うように、円弧状の曲面を為すように折り曲げられて、全体的な形状として略カタカナのフ字状とされている。
【００４１】
また、フレキシブルプリント配線板１１も、図３乃至図５に示すように、上記補強板１２、１２ＡがＬ字状又はフ字状に形成されているため、背面から補強板１２、１２Ａを取着することによって、その部分、即ち、端子接続部１１ａ、１１ａ及びその近傍がそれぞれ補強板１２、１２Ａの形状に沿ってＬ字状又はフ字状に折れ曲がった形状になっている。
【００４２】
以上に記載した構造を有するディスクドライブ装置１においては、上述のように、光学ピックアップ７のレーザカプラ１０に接続される部分のフレキシブルプリント配線板１１及び補強板１２、１２を略Ｌ字状に折り曲げることによって、これらの光学ピックアップ７のＣＤ３の外縁からの突出量を従来の略半分程度にすることができる。
【００４３】
更に、光学ピックアップ７がＣＤ３の最外周の位置に移動した時に、筐体２に近い側のフレキシブルプリント配線板１１及び補強板１２Ａの端部１２ｂを、ＣＤ３の外周形状に合わせた形状、即ち、円弧状の曲面を為すように折り曲げることによって、単純にＬ字状に折り曲げた場合に比べて一層、光学ピックアップ７の、ＣＤ３の外縁からの突出量を減らすことができる。
【００４４】
従って、ディスクドライブ装置１においては筐体２の小型化の限界が、図２に示すように、フレキシブルプリント配線板１１及び補強板１２、１２を折り曲げない場合では２点鎖線で示す大きさであったのに対し、折り曲げられた形状の補強板１２、１２Ａを用いて、フレキシブルプリント配線板１１も併せて折り曲げられた形状とした場合には、筐体２の外形を実線で示す大きさにすることができ、筐体２を直径１２ｃｍのＣＤ３の大きさに近づけることが可能になる。
【００４５】
尚、前記実施の形態において示した各部の具体的な形状及び構造は、何れも本発明を実施するに当たっての具体化のほんの一例を示したものに過ぎず、これらによって本発明の技術的範囲が限定的に解釈されることがあってはならないものである。
【００４６】
【発明の効果】
以上に説明したところから明らかなように、本発明光学ピックアップは、ディスクテーブルに装着されたディスク状記録媒体の半径方向に移動可能に支持された移動ベース上に所定の部材が配設されて成り、ディスク状記録媒体に対してレーザ光を照射する光学ピックアップであって、レーザ光を照射するレーザ発光素子とレーザ光を受光する受光素子とを含む光学素子と、上記各光学素子への通電及び信号伝達を行うための複数の端子とを備え、各端子にフレキシブルプリント配線板の端子接続部を接続し、フレキシブルプリント配線板の端子接続部には補強板を取着し、フレキシブルプリント配線板の端子接続部と補強板のディスク状記録媒体の外周方向側に位置する一端部を一体に折り曲げたことを特徴とする。
【００４７】
従って、本発明光学ピックアップにあっては、フレキシブルプリント配線板及びその補強板のディスク状記録媒体の外周方向への突出量が少なくなるので、光学ピックアップの小型化を実現することができる。
【００４８】
また、本発明ディスクドライブ装置は、ディスク状記録媒体が装着されて回転されるディスクテーブルと、該ディスクテーブルに装着されたディスク状記録媒体の半径方向に移動可能に支持された移動ベース上に所定の部材が配設されて成り、ディスク状記録媒体に対して対してレーザ光を照射する光学ピックアップとを備えたディスクドライブ装置であって、光学ピックアップは、レーザ光を照射するレーザ発光素子とレーザ光を受光する受光素子とを含む光学素子と、上記各光学素子への通電及び信号伝達を行うための複数の端子とを備え、各端子にフレキシブルプリント配線板の端子接続部を接続し、フレキシブルプリント配線板の端子接続部には補強板を取着し、フレキシブルプリント配線板の端子接続部と補強板のディスク状記録媒体の外周方向側に位置する一端部を一体に折り曲げたことを特徴とする。
【００４９】
従って、本発明ディスクドライブ装置にあっては、フレキシブルプリント配線板及びその補強板のディスク状記録媒体の外周方向への突出量が少なくなるので、光学ピックアップを小型化することが可能になり、ディスクドライブ装置の小型化を実現することができる。
【００５０】
請求項２及び請求項５に記載した発明にあっては、補強板の一端部をディスク状記録媒体の外縁に沿う形状にしたので、ディスク状記録媒体の外周方向への突出量を更に小さくすることができるので、光学ピックアップ及びディスクドライブ装置を、一層、小型化することができる。
【００５１】
請求項３及び請求項６に記載した発明にあっては、補強板を金属製としたので、レーザ発光素子等の各素子から発生する熱を放熱することもできる。
【図面の簡単な説明】
【図１】図１乃至図５と共に本発明の実施の形態を示すものであり、本図はディスクドライブ装置の外観を示す斜視図である。
【図２】ディスクドライブ装置の内部の構成の一部を概略的に示す平面図である。
【図３】光学ピックアップの拡大平面図である。
【図４】要部の拡大平面図である。
【図５】要部の拡大側面図である。
【図６】図７及び図８と共に従来のディスクドライブ装置の一例を示すものであり、本図はディスクドライブ装置の一部の拡大平面図である。
【図７】集積型光学素子の一部の拡大平面図である。
【図８】集積型光学素子の拡大側面図である。
【符号の説明】
１…ディスクドライブ装置、３…ディスク状記録媒体、７…光学ピックアップ、８…移動ベース、１０…光学素子、１０ａ…端子、１１…フレキシブルプリント配線板、１１ａ…端子接続部、１２…補強板
【図１】
0003794310.tif 000002
【図２】
0003794310.tif 000003
【図３】
0003794310.tif 000004
【図４】
0003794310.tif 000005
【図５】
0003794310.tif 000006
【図６】
0003794310.tif 000007
【図７】
0003794310.tif 000008
【図８】
0003794310.tif 000009